(57)【要約】【課題】携帯電話を利用し、ブログで公開している商品情報を容易に更新することのできる方法を提供する。【解決手段】複数の商品情報を記憶しているサーバが、商品コードを携帯電話から受信すると、前記サーバは、記憶している前記商品情報の中から、前記商品コードで特定される商品の前記商品情報を検索し（ステップＳ４）、検索した前記商品情報を表示・編集及び前記商品情報の公開／非公開を設定するためのウェブページを前記携帯電話に送信する（ステップＳ５）。そして、前記携帯電話から前記サーバに前記商品情報が送信され（ステップＳ７）、前記サーバが前記携帯電話から送信された前記商品情報を記憶した後（ステップＳ１１）、公開が示された前記商品情報を、ブログサーバにブログ記事を投稿するためのフォーマットに従い変換し、変換した前記商品情報をブログサーバに転送する（ステップ１３）。【選択図】図８
2008217344.tif 000002
【特許請求の範囲】
【請求項１】
携帯電話を利用してブログ（Blog）を更新する方法であって、
ステップａ）複数の商品情報を記憶しているサーバが、ネットワークを介して、商品を識別するために利用される商品コードを携帯電話から受信し、前記携帯電話から前記商品情報の送信要求を受けるステップ、
ステップｂ）前記サーバが、記憶している前記商品情報の中から、前記商品コードで特定される商品の前記商品情報を検索し、検索した前記商品情報を表示・編集及び前記商品情報の公開／非公開を設定するためのウェブページを前記携帯電話に送信するステップ、
ステップｃ）前記携帯電話から前記サーバに前記商品情報が送信され、前記サーバが前記携帯電話から送信された前記商品情報を記憶するステップ、
ステップｄ）公開が示された前記商品情報を、ブログサーバにブログ記事を投稿するためのフォーマットに従い変換し、ネットワークを介して、変換した前記商品情報をブログサーバに転送するステップ、
とから成ることを特徴とする方法。
【請求項２】
請求項１に記載の方法であって、前記ステップａ）では、前記携帯電話は、商品に付加されたバーコードの画像データを復号することで前記商品コードを得て、前記サーバは、前記バーコードを復号して得られる前記商品コードを前記携帯電話から取得することを特徴とする方法。
【請求項３】
請求項１または請求項２に記載の方法であって、前記ステップｂ）において、前記商品コードに対応する前記商品情報を前記サーバが記憶していないとき、前記サーバは、ネットワークに接続された所定のデータサーバから、前記商品コードに対応する前記商品情報を取得することを特徴とする方法。
【請求項４】
請求項１から請求項３のいずれかひとつに記載の方法であって、前記ステップｃ）において、前記サーバは、前記商品情報を前記ブログサーバに送信する前に、ネットワークを介して前記携帯端末以外のコンピュータに前記商品情報を送信し、前記コンピュータで前記商品情報の公開を許可されたときのみ、前記サーバは、前記商品情報を前記ブログサーバに送信することを特徴とする方法。
【請求項５】
携帯電話を利用してブログ（Blog）を更新するときに利用するサーバであって、前記サーバは、様々な商品の商品情報を前記商品に付加された商品コードに対応付けて記憶したデータベースと、前記携帯電話から前記商品情報の送信要求を受けたとき、前記携帯電話から送信された前記商品コードを前記データベースの中から検索する商品情報検索手段と、前記商品情報検索手段が検索した前記商品情報の表示・編集および前記商品情報の公開／非公開を設定するためのウェブページを前記携帯電話に送信する商品情報提示手段と、前記携帯電話から送信された前記商品情報を前記データベースに登録する商品情報登録手段と、公開が指定された示された前記商品情報を、ブログサーバにブログ記事を投稿するためのフォーマットに従い変換し、ネットワークを介して、変換した前記商品情報をブログサーバに転送する商品情報公開手段と、を備えていることを特徴とするサーバ。
【請求項６】
請求項５に記載のサーバであって、前記サーバに備えられた前記商品情報検索手段は、前記携帯電話から送信された前記商品コードに対応する前記商品情報が前記データベースに記憶されていないとき、ネットワークに接続された所定のデータサーバから、前記商品コードに対応する前記商品情報を取得することを特徴とするサーバ。
【請求項７】
請求項５または請求項６に記載のサーバであって、前記サーバに備えられた前記商品情報公開手段は、前記商品情報を前記ブログサーバに送信する前に、ネットワークを介して前記携帯端末以外のコンピュータに前記商品情報を送信し、前記コンピュータで前記商品情報の公開が許可されたときのみ、前記サーバは、前記商品情報を前記ブログサーバに送信することを特徴とするサーバ。
【発明の詳細な説明】
【技術分野】
【０００１】
本発明は、携帯電話を利用して容易にブログ（blog）を更新するための技術に関する。
【背景技術】
【０００２】
エンドユーザによって容易に更新可能なウェブサイトであるブログが広く普及し、個人のみならず企業の情報発信にブログを利用することも珍しくなく、例えば、実在する店舗の販売支援の一環として、店舗のナビゲート情報がブログによって発信されている。
【０００３】
企業の情報発信にブログを利用することで、企業はリアルタイムに必要な情報を発信することができ、更に、更新通知ｐｉｎｇを利用することで、ブログが更新されたことを大勢の人に通知することができる。
【０００４】
実際に、企業の情報発信にブログを利用するとき、外出先や店舗からブログを更新できるように携帯電話を利用してブログを更新できることが望ましい。携帯電話を利用してブログを更新する一つの発明としては、例えば、特許文献１では、利用者の日常の行動を自動的に記録し、その記録された行動内容に基づいて利用者が容易にブログを作成することのできる携帯通信装置が開示されている。
【特許文献１】特開２００６−３０１８８４号公報
【発明の開示】
【発明が解決しようとする課題】
【０００５】
しかしながら、特許文献１で開示されている発明は、利用者の日常の行動を自動的に記録し、その記録された行動内容に基づいて利用者が容易に簡易ウェブサイト（ブログ）を作成できる携帯通信装置を提供することを目的とした発明であって、携帯電話を利用し、ブログで公開している商品情報を容易に更新するための発明ではない。
【０００６】
そこで、本発明は、携帯電話を利用し、ブログで公開している商品情報を容易に更新することのできる方法およびサーバを提供することを目的とする。
【課題を解決するための手段】
【０００７】
上述した課題を解決する第１の発明は、携帯電話を利用してブログ（Blog）を更新する方法であって、
ステップａ）複数の商品情報を記憶しているサーバが、ネットワークを介して、商品を識別するために利用される商品コードを携帯電話から受信し、前記携帯電話から前記商品情報の送信要求を受けるステップ、
ステップｂ）前記サーバが、記憶している前記商品情報の中から、前記商品コードで特定される商品の前記商品情報を検索し、検索した前記商品情報を表示・編集及び前記商品情報の公開／非公開を設定するためのウェブページを前記携帯電話に送信するステップ、
ステップｃ）前記携帯電話から前記サーバに前記商品情報が送信され、前記サーバが前記携帯電話から送信された前記商品情報を記憶するステップ、
ステップｄ）公開が示された前記商品情報を、ブログサーバにブログ記事を投稿するためのフォーマットに従い変換し、ネットワークを介して、変換した前記商品情報をブログサーバに転送するステップ、
とから成ることを特徴とする方法である。
【０００８】
上述した第１の発明によれば、前記サーバが、携帯端末が取得した商品コードに対応する前記商品情報を前記携帯電話に配信することで、ユーザは前記サーバに記憶された商品情報を基に、ブログで公開する商品情報を容易に作成できるようになる。更に、前記サーバが、前記商品情報を変換しブログサーバへ転送することで、ユーザは前記サーバに前記商品情報を送信するだけで、前記商品情報を容易にブログで公開できるようになる。
【０００９】
更に、第２の発明は、第１の発明に記載の方法であって、前記ステップａ）では、前記携帯電話は、商品に付加されたバーコードの画像データを復号することで前記商品コードを得て、前記サーバは、前記バーコードを復号して得られる前記商品コードを前記携帯電話から取得することを特徴とする方法である。
【００１０】
第２の発明によれば、前記バーコードから前記商品コードを取得することで、ユーザは前記携帯電話に前記商品コードを入力する手間を省くことができる。
【００１１】
更に、第３の発明は、第１の発明または第２の発明に記載の方法であって、前記ステップｂ）において、前記商品コードに対応する前記商品情報を前記サーバが記憶していないとき、前記サーバは、ネットワークに接続された所定のデータサーバから、前記商品コードに対応する前記商品情報を取得することを特徴とする方法である。
【００１２】
第３の発明によれば、前記データサーバを利用することで、初めての商品であったときのでも、ユーザは容易に商品情報を作成することができるようになる。
【００１３】
更に、第４の発明は、第１の発明から第３の発明のいずれかひとつに記載の方法であって、前記ステップｃ）において、前記サーバは、前記商品情報を前記ブログサーバに送信する前に、ネットワークを介して前記携帯端末以外のコンピュータに前記商品情報を送信し、前記コンピュータで前記商品情報の公開を許可されたときのみ、前記サーバは、前記商品情報を前記ブログサーバに送信することを特徴とする方法である。
【００１４】
第４の発明によれば、前記コンピュータをユーザの上司が所持するコンピュータとすることで、上司の承認を得た前記商品情報のみをブログで公開できるようになる。
【００１５】
更に、第５の発明は、携帯電話を利用してブログ（Blog）を更新するときに利用するサーバであって、前記サーバは、様々な商品の商品情報を前記商品に付加された商品コードに対応付けて記憶したデータベースと、前記携帯電話から前記商品情報の送信要求を受けたとき、前記携帯電話から送信された前記商品コードを前記データベースの中から検索する商品情報検索手段と、前記商品情報検索手段が検索した前記商品情報の表示・編集および前記商品情報の公開／非公開を設定するためのウェブページを前記携帯電話に送信する商品情報提示手段と、前記携帯電話から送信された前記商品情報を前記データベースに登録する商品情報登録手段と、公開が指定された示された前記商品情報を、ブログサーバにブログ記事を投稿するためのフォーマットに従い変換し、ネットワークを介して、変換した前記商品情報をブログサーバに転送する商品情報公開手段と、を備えていることを特徴とする。
【００１６】
更に、第６の発明は、第５の発明に記載のサーバであって、前記サーバに備えられた前記商品情報検索手段は、前記携帯電話から送信された前記商品コードに対応する前記商品情報が前記データベースに記憶されていないとき、ネットワークに接続された所定のデータサーバから、前記商品コードに対応する前記商品情報を取得することを特徴とするサーバである。
【００１７】
更に、第７の発明は、第５の発明または第６の発明に記載のサーバであって、前記サーバに備えられた前記商品情報公開手段は、前記商品情報を前記ブログサーバに送信する前に、ネットワークを介して前記携帯端末以外のコンピュータに前記商品情報を送信し、前記コンピュータで前記商品情報の公開が許可されたときのみ、前記サーバは、前記商品情報を前記ブログサーバに送信することを特徴とするサーバである。
【００１８】
第５の発明によれば、上述した第１の発明と同様の効果が得られる。更に、第６の発明から第７の発明によれば、第３の発明から第４の発明と同様の効果が得られる。
【発明の効果】
【００１９】
上述した本発明によれば、携帯電話を利用し、ブログで公開している商品情報を容易に更新することのできる方法およびサーバを提供できる。
【発明を実施するための最良の形態】
【００２０】
ここから、本発明に係わるサーバである商品情報管理サーバを用い販売店のブログを更新するシステムについて、図を参照しながら詳細に説明する。図１は、商品情報管理サーバ１を用い販売店のブログを更新するシステムを説明する図である。
【００２１】
図１で図示したシステムでは、商品情報管理サーバ１を利用する販売店のユーザは、カメラ付きの携帯電話２を所持し、商品情報管理サーバ１とブログサーバ５とはインターネット４を介して接続され、販売店で販売されている商品３には、商品３を一意に識別するための情報である商品コードが符号化されたバーコード３０（図１では、一次元のバーコード３０）が付加されている。
【００２２】
システムのユーザが所持する携帯電話２には、携帯電話２のカメラで撮影したバーコード３０の画像を復号する機能を備え、商品情報管理サーバ１を利用するためのアプリケーション（以下、商品アプリケーション）がダウンロードされている。
【００２３】
ユーザが、この商品アプリケーションを起動させた後、商品３に付加されたバーコード３０を撮影すると、商品アプリケーションは、バーコード３０の画像を解析することでバーコード３０を復号し、バーコード３０に符号化された商品コードを得る。
【００２４】
そして、商品アプリケーションはバーコード３０から得られた商品コードを得ると、バーコード３０から得られた商品コードを商品情報管理サーバ１に送信することで、バーコード３０を撮影した商品３の商品情報を商品情報管理サーバ１に要求する。
【００２５】
商品情報管理サーバ１は、様々な商品３の商品情報（画像データとテキストデータ）を商品コードに関連付けて記憶したデータベースを備え、商品情報管理サーバ１は、携帯電話２から引渡された商品コードに対応した商品情報をこのデータベースの中から検索し、検索した商品情報の表示・編集および公開／非公開を設定するためのウェブページを携帯電話２に送信する。
【００２６】
ユーザは、携帯電話２に表示された商品情報の内容を確認し、商品情報の編集が必要な場合は商品情報を編集すると共に、商品情報の公開／非公開を示すフラグ（以下、公開フラグ）を設定し、携帯電話２を操作することで商品情報及び公開フラグを商品情報管理サーバ１へ送信する。
【００２７】
商品情報管理サーバ１は、携帯電話２から送信された商品情報をデータベースに記憶すると共に、公開フラグによって商品情報の公開が示される場合は、ネットワークを介してブログサーバ５にブログ記事を投稿するためのフォーマットに従い商品情報を変換した後、変換後の商品情報をブログサーバ５へ送信し、商品情報は販売店のブログで公開される。
【００２８】
このように、商品情報管理サーバ１を利用することで、ユーザは、様々な商品３の商品情報を商品情報管理サーバ１に記憶させ、商品情報管理サーバ１に蓄積された商品情報を利用して、速やかに商品情報をブログで公開することが可能になる。
【００２９】
ここから、図１で図示したシステムを構成する携帯電話２および商品情報管理サーバ１についてより詳細に説明する。図２は、販売店のユーザが所持する携帯電話２のブロック図である。
【００３０】
図２に図示したように、携帯電話２には、商品３に付加されているバーコード３０を撮影するためのカメラ２０と、商品情報管理サーバ１から送信される情報を閲覧する機能を備えたブラウザ２１と、既に上述している商品アプリケーション２２とが備えられている。
【００３１】
携帯電話２のカメラ２０およびブラウザ２１は、市販されている携帯電話２に備えられているものを本発明でも用いることができる。
【００３２】
商品アプリケーション２２は、商品情報管理サーバ１のＵＲＬを記憶し、撮影したバーコード３０の画像を画像処理することで、バーコード３０に符号化された商品コードを復号する機能と、商品情報管理サーバ１のＵＲＬをブラウザ２１に引渡して、ブラウザを起動させ、商品情報管理サーバ１に商品情報の送信要求をする機能を有している。
【００３３】
なお、ブラウザ２１に引渡される商品情報管理サーバ１のＵＲＬには、復号して得られた商品コードのすべて或いは一部をパス名として含まれる。
【００３４】
図３は、商品情報管理サーバ１のブロック図である。商品情報管理サーバ１には、様々な商品３の商品情報を商品コードに対応付けて記憶したデータベース１４と、携帯電話２から商品情報の送信要求を受けたとき、携帯電話２から送信された商品コードをデータベース１４の中から検索する商品情報検索手段１０と、商品情報検索手段１０が検索した商品情報の表示・編集および商品情報の公開フラグを設定するためのウェブページを携帯電話２に送信する商品情報提示手段１１と、携帯電話２から送信された商品情報をデータベース１４に登録する商品情報登録手段１２と、公開が指定された示された商品情報を、ネットワークを介してブログサーバ５にブログ記事を投稿するためのフォーマットに従い変換し、ネットワークを介して、変換した前記商品情報をブログサーバ５に送信する商品情報公開手段１３とを備えている。
【００３５】
商品情報管理サーバ１のデータベース１４は大容量の情報記憶装置（例えば、ハードディスク）で実現され、それぞれの手段は、商品情報管理サーバ１にインストールされたサーバアプリケーションで実現され、それぞの手段は連動して作動する。
【００３６】
図４は、商品情報管理サーバ１に備えられたデータベース１４の構造を説明する図である。データベース１４には、商品コードに関連付けて、商品コードで特定される商品３の商品情報として、商品の画像データ、商品に係わる記事となるテキストデータ（商品名や価格など）、および、商品情報のカテゴリーを示すカテゴリーＩＤが記憶される。
【００３７】
なお、データベース１４で商品情報を識別するために利用するコードは、商品コードそのものでなくともよい。例えば、商品コードのすべてまたは一部に特定の符号を付与することで、商品情報管理サーバ１のみで利用されるサーバ専用コードを生成し、生成したサーバ専用コードを用いてデータベース１４に記憶する商品情報を管理してもよい。
【００３８】
サーバ専用コードを商品コードに特定の符号を店舗ごとに割り振られた店舗コードとすれば、一つの商品３を複数の店舗で区別して利用することができ、また、サーバ専用コードを商品コードに特定の符号をユーザごとに割り振られたユーザコードとすれば、一つの商品３をユーザごとに区別して利用することができる。
【００３９】
図３で図示した商品情報検索手段１０は、携帯電話２から送信されたＨＴＴＰリクエストを解析して商品コードを取得し、取得した商品コードに対応する商品情報をデータベース１４の中から検索し、検索した商品情報を商品情報提示手段１１に引渡す手段である。
【００４０】
商品情報検索手段１０は、商品コードに対応する商品情報がデータベース１４に記憶されているときは、商品情報が記憶されているパス名と、商品情報のテキストデータそのものを商品情報提示手段１１に引渡し、商品コードに対応する商品情報がデータベース１４に記憶されていないときは、新たに商品情報を記憶する領域をデータベース１４に設けると共に、商品情報が無い状態を示すＮＵＬＬを商品情報提示手段１１に引渡す。
【００４１】
商品情報提示手段１１は、商品情報検索手段１０が検索した商品情報を表示・編集および商品情報の公開フラグを設定するウェブページを作成し、作成したウェブページを携帯電話２に送信する手段である。
【００４２】
図５は、商品情報提示手段１１が作成するウェブページの一例である。商品情報提示手段１１は、商品情報検索手段１０が検索した商品情報と、商品情報を表示する形式を指定するスタイルシートとを用いて、商品情報を表示するウェブページ６を作成する。なお、ＮＵＬＬが引渡されたときは、このウェブページ６内において商品情報は表示されない。
【００４３】
図５の点線で囲んだ領域６ａについては、商品情報の画像データ及びテキストデータが埋め込まれ、図５の一点鎖線で囲んだ領域６ｂで、ユーザは商品情報の公開フラグを設定する。図５で図示された編集ボタン６０ａを選択すると、商品情報、すなわち、点線で囲んだ領域６ａの情報を編集するためのウェブページが表示される。
【００４４】
図６は、商品情報を編集するためのウェブページを説明する図である。図６で図示したウェブページ７において、「新規画像の登録」する欄を選択すると、ユーザが、予め携帯電話２のメモリに記憶されたの画像データの中から、新たな商品情報の画像データとなる画像データを選択することが可能になる。
【００４５】
また、図６の「Ｎａｍｅ」、「Ｃｏｌｏｒ」および「Ｐｒｉｃｅ」では、それぞれ、図５の商品情報における「Ｎａｍｅ」、「Ｃｏｌｏｒ」および「Ｐｒｉｃｅ」に記述されるテキストデータの編集が可能になる。また、図６の「記事本文」の欄では、図５の「記事本文」の内容を編集することが可能になる。
【００４６】
図６で図示した決定ボタン７０が選択されると、編集された商品情報の内容が携帯電話２から商品情報管理サーバ１へ送信され、商品情報提示手段１１は、携帯電話２から送信された商品情報を一次的に記憶すると共に、編集された商品情報を表示するためのウェブページ６を作成し、ウェブページ６を携帯電話２へ送信する。
【００４７】
図５に図示した送信ボタン６０ｂは、商品情報を確定するためのボタンで、送信ボタン６０ｂが選択されると、商品情報が確定したことを意味するメッセージとして、少なくとも公開フラグが含まれるメッセージが携帯電話２から商品情報管理サーバ１へ送信される。
【００４８】
このメッセージを受信したときに、携帯電話２から送信された商品情報を商品情報提示手段１１が一次的に記憶している場合、すなわち、商品情報がユーザによって編集された場合、商品情報提示手段１１は商品情報登録手段１２を呼び出し、一次的に記憶している商品情報の登録を依頼する。
【００４９】
商品情報登録手段１２は、商品情報提示手段１１から呼出されると、一次的に記憶している商品情報を商品コードに関連付けてデータベース１４に記憶する。なお、既に商品コードに関連付けて商品情報が記憶されているときは上書きとなり、記憶されていないときは新規に記憶される。
【００５０】
さらに、上述したメッセージに含まれる公開フラグよって商品情報の公開が示されているとき、商品情報提示手段１１は、商品情報を引渡して商品情報公開手段１３を呼び出し、商品情報の公開を依頼する。
【００５１】
商品情報公開手段１３は、ネットワーク４を介してブログサーバ５にブログ記事を投稿するためのフォーマットを予め記憶し、商品情報提示手段１１から引渡された商品情報をこのフォーマットに従い変換した後、変換後の商品情報をブログサーバ５に送信する。
【００５２】
商品情報をブログサーバ５に送信する一例として、電子メールを利用したブログサーバ５への投稿を示しておく。図７は、電子メールを用いてブログ記事を投稿するときのフォーマットを説明する図である。
【００５３】
図７において、電子メールの宛先は、ブログサーバ５の電子メール投稿用のメールアドレスである。電子メールの件名は、ブログの記事タイトルで図５の記事タイトルのテキストデータが挿入される。電子メールの本文にはブログの記事本文が記入され、図５の記事本文のテキストデータが挿入される。なお、カテゴリーＩＤは、記事本文の一行目に記述される。
【００５４】
ここから、図１のシステムの動作について説明する。図８は、図1のシステムの動作手順を示したフロー図である。
【００５５】
図１で図示したシステムを用いて商品情報を販売店のブログで公開するとき、販売店のユーザは、携帯電話２に備えられた商品アプリケーション２２を起動させた後、携帯電話２のカメラを用いて、販売店のブログで宣伝する商品３に付加されたバーコード３０を撮影する（ステップＳ１）。
【００５６】
商品３に付加されたバーコード３０が撮影されると、商品アプリケーション２２は、バーコード３０の画像データを解析することでバーコード３０を復号し、バーコード３０に符号化された商品コードを取得する（ステップＳ２）。
【００５７】
商品アプリケーション２２は商品コードを取得すると、商品コードのすべて或いは一部をパス名とした商品情報管理サーバ１のＵＲＬをブラウザに引渡し、商品情報管理サーバ１に対して商品コードに対応する商品情報の送信を要求する（ステップＳ３）。
【００５８】
携帯電話２から商品情報の送信要求があると、商品情報管理サーバ１の商品情報検索手段１０は、携帯電話２から送信されたＨＴＴＰリクエストを解析し、このＨＴＴＰリクエストに含まれる商品コードを取得した後、商品コードに対応する商品情報をデータベース１４の中から検索し、検索した商品情報を商品情報提示手段１１に引渡す（ステップＳ４）。
【００５９】
商品情報提示手段１１は商品情報が引渡されると、例えば、図５で図示したようにウェブページ６を生成し、生成したウェブページを、ステップＳ３で商品情報の送信要求した携帯電話２に送信し（ステップＳ５）、ウェブページが携帯電話２のブラウザ２１で解釈され、商品情報が表示される（ステップＳ６）。
【００６０】
図６で図示したウェブページ７を利用するなどして、ユーザが携帯電話２に表示された商品情報を編集すると、携帯電話２から商品情報管理サーバ１に編集後の商品情報が送信され（ステップＳ７）、商品情報提示手段１１は、携帯電話２から送信された商品情報を一次的に記憶すると共に、編集後の商品情報を表示するウェブページを作成し、携帯電話２に送信する（ステップＳ８）。
【００６１】
例えば、図５の送信ボタン６０ｂが選択されるなどして、商品情報が確定されたとき、商品情報が確定したことを意味し、商品情報の公開フラグを含むメッセージが携帯電話２から商品情報管理サーバ１へ送信される（ステップＳ９）。
【００６２】
商品情報の内容を確認したことを示すメッセージが送信された後、商品情報提示手段１１は商品情報が編集されたか確認し（ステップＳ１０）、商品情報が編集されているときは、商品情報管理サーバ１の商品情報登録手段１２が編集された商品情報をデータベース１４に登録する（ステップＳ１１）。
【００６３】
更に、商品情報提示手段１１はメッセージに含まれる公開フラグを確認し（ステップＳ１２）、商品情報の公開が示されているときは、商品情報を商品情報公開手段１３に引渡し、商品情報公開手段１３は、引渡された商品情報を所定のフォーマットに従い変換した後、変換した商品情報をブログサーバ５に投稿し（ステップＳ１３）、この手順は終了する。
【００６４】
なお、本発明は、これまで説明した実施の形態に限定されることなく、種々の変形や変更が可能である。
【００６５】
上述した実施の形態において、商品情報管理サーバ１の商品情報検索手段１０はデータベース１４のみから商品情報を検索していたが、データベース１４に商品情報が記憶されていないときは、ネットワーク４に接続されたデータベースサーバへ商品情報を問合せるようにすることもできる。
【００６６】
このとき、商品情報管理サーバ１の商品情報検索手段１０は、データベースサーバのＵＲＬとその問合せ順序を記憶しておき、携帯電話２から送信された商品コードに対応する商品情報がデータベース１４に記憶されていない場合、ネットワーク４に接続されたデータベースサーバへ商品コードを送信し、データベースサーバに商品情報を問合せる。
【００６７】
なおここで、データベースサーバとは、国内のＪＡＮ（Japanese Article Number）のデータベース１４など、商品コードに関連付けて商品情報を記憶しているデータベースサーバを意味している。
【００６８】
更に、商品情報をブログサーバ５で公開するときに承認者の承認を得るようにすることもできる。このとき、商品情報管理サーバ１の商品情報公開手段１３は、公開が示された商品情報を承認者へ送信するためのアドレスを記憶し、商品情報を変換する前に、図５のようなウェブページを送信する。
【００６９】
そして、承認者によって商品情報の公開が示されたとき、商品情報を所定のフォーマットに変換しブログサーバ５に送信する。
【図面の簡単な説明】
【００７０】
【図１】商品情報管理サーバを用いブログを更新するシステムを説明する図。
【図２】販売店のユーザが所持する携帯電話のブロック図。
【図３】商品情報管理サーバのブロック図。
【図４】商品情報管理サーバに備えられたデータベースの構造を説明する図。
【図５】商品情報提示手段が作成するウェブページの一例を示した図。
【図６】商品情報を編集するためのウェブページを説明する図。
【図７】電子メールを用いてブログ記事を投稿するときのフォーマットを説明する図。
【図８】システムの動作手順を示したフロー図。
【符号の説明】
【００７１】
１  商品情報管理サーバ
１０  商品情報検索手段
１１  商品情報提示手段
１２  商品情報登録手段
１３  商品情報公開手段
１４  データベース
２  携帯電話
２０  カメラ
２１  ブラウザ
２２  商品アプリケーション
３  商品
３０  バーコード
４  ネットワーク
５  ブログサーバ
【図１】
2008217344.tif 000003
【図２】
2008217344.tif 000004
【図３】
2008217344.tif 000005
【図４】
2008217344.tif 000006
【図５】
2008217344.tif 000007
【図６】
2008217344.tif 000008
【図７】
2008217344.tif 000009
【図８】
2008217344.tif 000010